(57)【要約】【課題】雪国地方における雪の除去対策として極めて有効な融雪槽を提供する。【解決手段】雪もしくは雪塊が投入される融雪槽本体１１と、融雪槽本体１１の開口部を開閉するように構成されたカバー１２を備える。カバー１２が開放されて、カバー１２に取り付けた放水管２０の複数の噴射ノズル２１から、融雪槽本体１１に投入された雪もしくは雪塊Ｓに対して強力かつ高圧の地下水を噴射し、その雪を融雪する。汲上げポンプ２２によって地下水供給パイプ２３を介して放水管２０に地下水を供給し、融雪槽本体１１内に溜まった融水Ｗをオーバーフロー排水口１５から地下へと排水する。【選択図】       図２
2005256303.tif 000002
【特許請求の範囲】
【請求項１】
雪もしくは雪塊が投入される融雪槽本体と、この融雪槽本体の開口部を開閉するように構成されたカバーとを備え、
前記融雪槽本体および前記カバーが相互に開放されて、該カバーに取り付けた放水管の複数の噴射ノズルから、前記融雪槽本体に投入された雪もしくは雪塊に対して強力かつ高圧の地下水を噴射し、その雪を融雪するようにしたことを特徴とする融雪槽。
【請求項２】
地下水を汲み上げる汲上げポンプを備えるとともに、前記融雪槽本体の前記開口部の至近位置にオーバーフロー排水口を有し、
前記汲上げポンプによって地下水供給パイプを介して前記放水管に地下水を供給する一方、前記融雪槽本体内に溜まった融水を前記オーバーフロー排水口から地下へと排水することを特徴とする請求項１に記載の融雪槽。
【請求項３】
前記カバーは、ガイド手段によって略垂直姿勢を維持しながら上下動可能に支持され、前記融雪槽本体は前記カバーの下端部に設けたヒンジを介して回動可能に結合し、
前記融雪槽本体が略垂直姿勢で前記カバーに閉合して収納状態となる一方、前記カバーから展開して略水平姿勢で使用状態となるようにしたことを特徴とする請求項１または２に記載の融雪槽。
【請求項４】
雪もしくは雪塊が投入される融雪槽本体と、この融雪槽本体の開口部を開閉するように構成されたカバーと、地下水を汲み上げる汲上げポンプとを備えるとともに、前記融雪槽本体の前記開口部の至近位置にオーバーフロー排水口を有し、
前記カバーは、ガイド手段によって略垂直姿勢を維持しながら上下動可能に支持され、前記融雪槽本体は前記カバーの下端部に設けたヒンジを介して回動可能に結合し、
前記融雪槽本体が略垂直姿勢で前記カバーに閉合して収納状態となる一方、前記カバーから展開して略水平姿勢で使用状態となり、
前記使用状態では前記融雪槽本体および前記カバーが相互に開放され、前記汲上げポンプによって供給パイプを介して前記カバーに取り付けた放水管に地下水を供給し、前記放水管の複数の噴射ノズルから、前記融雪槽本体に投入された雪もしくは雪塊に対して強力かつ高圧の地下水を噴射して、その雪を融雪し、前記融雪槽本体内に溜まった融水を前記オーバーフロー排水口から地下へと排水することを特徴とする融雪槽。
【発明の詳細な説明】
【技術分野】
【０００１】
本発明は、特に雪国地方において敷地、道路あるいは歩道等に山積状態で堆積された雪を除去するために使用する融雪槽に関するものである。
【背景技術】
【０００２】
北海道や雪国地方では特に１２月〜３月期にかなりの降雪があり、積雪が３〜５ｍ以上に達する場合がある。住宅等の除雪作業には多大な労力を要し、さらに除雪して敷地内にたまった雪は付近の道路あるいは歩道等に運び出される。また、市街地等の道路では除雪された雪が側近の歩道等に捨てられる場合もある。
【発明の開示】
【発明が解決しようとする課題】
【０００３】
しかしながら、このように処理される雪は、次第に道路あるいは歩道等に山積状態で堆積され、すなわち実質的に除雪されるのではなく場所を変えて残存しているのが実情である。たとえば交差点等で山積状態で雪が堆積すると、交差点付近の見通しが悪くなり、交通安全上著しく安全性を阻害することになる。また、日中の暖かさで路面から溶け出した水は排泄されずに、夕刻からの冷込みで特に横断歩道周辺等で凍結し、アイスバーン状態になることがある。このようにアイスバーン化した場合には、歩行者の転倒事故等が発生し極めて危険である。
【０００４】
本発明はかかる実情に鑑み、雪国地方における雪の除去対策として極めて有効な融雪槽を提供することを目的とする。
【課題を解決するための手段】
【０００５】
本発明の融雪槽は、雪もしくは雪塊が投入される融雪槽本体と、この融雪槽本体の開口部を開閉するように構成されたカバーとを備え、前記融雪槽本体および前記カバーが相互に開放されて、該カバーに取り付けた放水管の複数の噴射ノズルから、前記融雪槽本体に投入された雪もしくは雪塊に対して強力かつ高圧の地下水を噴射し、その雪を融雪するようにしたことを特徴とする。
【０００６】
また、本発明による融雪槽において、地下水を汲み上げる汲上げポンプを備えるとともに、前記融雪槽本体の前記開口部の至近位置にオーバーフロー排水口を有し、前記汲上げポンプによって地下水供給パイプを介して前記放水管に地下水を供給する一方、前記融雪槽本体内に溜まった融水を前記オーバーフロー排水口から地下へと排水することを特徴とする。
【０００７】
また、本発明による融雪槽において、前記カバーは、ガイド手段によって略垂直姿勢を維持しながら上下動可能に支持され、前記融雪槽本体は前記カバーの下端部に設けたヒンジを介して回動可能に結合し、前記融雪槽本体が略垂直姿勢で前記カバーに閉合して収納状態となる一方、前記カバーから展開して略水平姿勢で使用状態となるようにしたことを特徴とする。
【０００８】
また、本発明の融雪槽は、雪もしくは雪塊が投入される融雪槽本体と、この融雪槽本体の開口部を開閉するように構成されたカバーと、地下水を汲み上げる汲上げポンプとを備えるとともに、前記融雪槽本体の前記開口部の至近位置にオーバーフロー排水口を有し、  前記カバーは、ガイド手段によって略垂直姿勢を維持しながら上下動可能に支持され、前記融雪槽本体は前記カバーの下端部に設けたヒンジを介して回動可能に結合し、前記融雪槽本体が略垂直姿勢で前記カバーに閉合して収納状態となる一方、前記カバーから展開して略水平姿勢で使用状態となり、前記使用状態では前記融雪槽本体および前記カバーが相互に開放され、前記汲上げポンプによって供給パイプを介して前記カバーに取り付けた放水管に地下水を供給して、前記放水管の複数の噴射ノズルから、前記融雪槽本体に投入された雪もしくは雪塊に対して強力かつ高圧の地下水を噴射して、その雪を融雪し、前記融雪槽本体内に溜まった融水を前記オーバーフロー排水口から地下へと排水することを特徴とする。
【発明の効果】
【０００９】
本発明によれば、融雪槽本体を回動させることでカバーから展開して略水平姿勢で使用状態となる。この使用状態ではカバーが開放されて、汲上げポンプによって供給パイプを介して放水管に地下水が供給される。放水管の複数の噴射ノズルから、融雪槽本体に投入された雪もしくは雪塊に対して強力かつ高圧の地下水を噴射することでその雪を極めて効率よく融雪することができる。融雪槽本体内に溜まった融水は、オーバーフロー排水口から地下へと排水される。
【００１０】
このように融雪槽内の雪に地下水を噴射することにより融雪して、その融水を地下に浸透もしくは排水する。地熱で温められた地下水をかけることで、融雪槽内の雪を効率よく融かすことができ、その融けた雪は地下へと浸透排水され、すなわち自然還流される。地下水を有効活用して融雪することで、簡素な構成でありながら効果に優れた除雪対策を講じることができる。
【発明を実施するための最良の形態】
【００１１】
以下、本発明による融雪槽の好適な実施の形態について、添付図面に基づいて詳細に説明する。
図１は、この実施形態における融雪槽１０の設置状態の例を示している。この設置例はたとえば市街地等の道路の場合であり、除雪処理された雪が歩道周辺に山積状態で堆積されているものとする。なお、この例の場合に限らず、敷地内の空きスペース等においても同様に適用可能である。図１において、舗装道路における歩道１００と車道１０１の境界部分に沿って、所謂ガードポール等と称する、手摺りを備えた柵体１が設置されているものとする。この柵体１には、後述する本発明に係るガイド手段が設けられている。なお、このような柵体１がない場合には、これと同等な部材を設置すればよい。
【００１２】
図２および図３は、融雪槽１０の具体的構成例を示している。この場合、融雪槽１０は柵体１を利用して設置されるが、後述するように収納状態と使用状態の２つの形態をとることができる。図２（ａ），（ｂ）は融雪槽１０の収納状態および使用状態をそれぞれ示す側断面図、図３（ａ），（ｂ）は融雪槽１０の収納状態および使用状態をそれぞれ示す上面図である。
【００１３】
融雪槽１０は、雪もしくは雪塊が投入される融雪槽本体１１と、この融雪槽本体１１の開口部１１ａを開閉するように構成されたカバー１２とを備える。融雪槽本体１１は開口部１１ａが開放されたたとえば箱型を呈し、設置場所の状況等に応じて縦、横および高さ（開口部１１ａからの深さ）寸法が適宜設定される。融雪槽本体１１の深さについては数十ｃｍ程度が適当であるが、具体的寸法は適宜採用可能である。カバー１２は、融雪槽本体１１の開口部１１ａに被さるように適度な長さの折曲げ部１２ａを有する薄い箱型を呈する。融雪槽本体１１およびカバー１２の形成材料としては、所定の剛性強度を持つものであれば、木製、金属製あるいはプラスチック製等が適宜選択可能である。木製の場合、たとえばカラマツ等が好適である。
【００１４】
ここで、カバー１２は、ガイド手段によって略垂直姿勢を維持しながら上下動可能に支持される。この実施形態ではガイド手段として、柵体１の縦部材１ａを利用する。カバー１２の背面側には、縦部材１ａと係合してスライド可能な止め具１３が付設されており、これによりカバー１２は止め具１３を介して縦部材１ａに沿って上下動することができるようになっている。
【００１５】
融雪槽本体１１は、カバー１２の下端部に設けたヒンジ１４を介して回動可能に結合する。なお、カバー１２の下端部には折曲げ部１２ａが設けられていない。融雪槽本体１１を回動させることにより融雪槽１０は、図２（ａ）に示されるように融雪槽本体１１が略垂直姿勢でカバー１２に閉合して収納状態となり、また、図２（ｂ）に示されるようにカバー１２から展開して略水平姿勢で使用状態となる。
【００１６】
融雪槽本体１１の開口部１１ａの至近位置には、オーバーフロー排水口１５を有し、このオーバーフロー排水口１５から融雪槽本体１１内に溜まった融水Ｗを排水するようになっている。この場合、オーバーフロー排水口１５に排水パイプ１６を接続し、排水パイプ１６によって、歩道１００と車道１０１の境界部分等に施置された排水用目皿２（図１参照）に排水するようにしてもよい。また、融雪槽本体１１の底部には、通常は栓１８によって栓止めされた排水口１７が設けられている。排水口１７に排水パイプ１９を接続し、排水パイプ１９によって排水用目皿２に排水するようにしてもよい。
【００１７】
カバー１２の内側には略その全長に亘って（図３（ｂ）参照）、水平に装架された放水管２０が取り付けられている。放水管２０には、融雪槽本体１１に投入された雪もしくは雪塊Ｓに指向する複数の噴射ノズル２１が設けられている。この噴射ノズル２１の最も簡単な構成として、放水管２０に穿設された孔であってよいが、各噴射ノズル２１からは強力かつ高圧の地下水を噴射するようになっている。噴射ノズル２１は、融雪槽本体１１内の雪もしくは雪塊Ｓ全体に満遍なく地下水が当たるように噴射角度が調整されている。また、放水管２０自体もその長手軸のまわりに回転調整可能になっており、地下水の噴射方向を調整することができる。
【００１８】
さらに、地下水を汲み上げる汲上げポンプ２２を備え、汲上げポンプ２２によって地下水供給パイプ２３を介して放水管２０に地下水を供給するようになっている。地下水供給パイプ２３は地下水脈に当たるまで地中に打設され、その途中適所に汲上げポンプ２２が接続されたものであってよい。
【００１９】
上記構成の融雪槽１０において、図２（ａ）等に示されるように融雪槽本体１１を略垂直姿勢にすることで、カバー１２と閉合して収納状態となる。このとき融雪槽１０は図示のように柵体１の側部に添接して収納され、歩道１００側へ張り出すことなくコンパクトに配置される。したがって融雪槽１０は、歩道１００を歩く歩行者等の邪魔にならず、景観を損なう心配がない。また、融雪槽１０が閉合しているときは、外部からゴミ等が入るのを防止することができる。
【００２０】
一方、融雪槽１０を使用する場合、収納されている融雪槽本体１１の適所を持って、この例では図４（ａ）のように歩道１００側へ回動する。融雪槽本体１１およびカバー１２はヒンジ１４を介して相互に結合しており、回動に伴い融雪槽本体１１は歩道１００に接地している角部１１ｂを柵体１側に移動させながら、歩道１００側へ倒れ込む。このときカバー１２は柵体１の縦部材１ａに沿って上昇する。融雪槽本体１１をさらに回動させることで、図４（ｂ）のように融雪槽本体１１はカバー１２からさらに展開して、最終的には図４（ｃ）のように略水平姿勢で歩道１００上に倒置される。
【００２１】
使用状態ではカバー１２が開放されて、水平配置された融雪槽本体１１に雪もしくは雪塊Ｓが投入される。同時に汲上げポンプ２２により供給パイプ２３を介して、カバー１２に取り付けた放水管２０に地下水が供給される。放水管２０の噴射ノズル２１からは、融雪槽本体１１内の雪もしくは雪塊Ｓに対して強力かつ高圧の地下水が噴射され、その雪Ｓが融雪される。この場合、複数の噴射ノズル２１から噴射された地下水が、融雪槽本体１１内の雪もしくは雪塊Ｓ全体に満遍なく当たり、しかもその地下水は冬季でも１０°Ｃ前後の温度であるため、極めて効率よく融雪することができる。
【００２２】
融雪槽本体１１内に溜まった融水Ｗは、オーバーフロー排水口１５から排水パイプ１６を介して、排水用目皿２に排水される。融雪された融雪槽本体１１内の雪もしくは雪塊Ｓの量に応じて、融雪槽本体１１に雪を順次追加投入し、この作業は適宜続行される。作業終了後、栓１８を外して排水口１７から排水される。この場合、融雪槽本体１１から排水される融水Ｗは、地下へと浸透排水されるため歩道１００や車道１０１へ流出して広がることはなく、したがってアイスバーン等の発生を未然に防止し、歩行車や車両等に対する高い安全性を確保することができる。
【００２３】
なお、融雪槽１０を収納する場合、上記とは逆に融雪槽本体１１の適所を持って、柵体１側に立ち上げるように回動する。前述のように融雪槽１０は柵体１の側部に添接して収納される。
【００２４】
ここで、図５は本発明の変形例を示している。この例では融雪槽本体１１内の角部等に隔壁２５によって仕切られた融水溜め部２４を有する。隔壁２５には複数のオーバーフロー口２６が形成されており、融雪槽本体１１内に溜まった融水がオーバーフロー口２６を通って融水溜め部２４内に流れ込むようになっている。また、融水溜め部２４内には循環ポンプ２７が設置されており、循環ポンプ２７によって融水溜め部２４内の融水を放水管２８に供給するようになっている。放水管２８には、融雪槽本体１１に投入された雪もしくは雪塊Ｓに指向する複数の噴射ノズル２９が設けられている。
【００２５】
前述したように放水管２０の噴射ノズル２１から、融雪槽本体１１内の雪もしくは雪塊Ｓに対して強力かつ高圧の地下水が噴射される。この例ではさらに、融水の一部は、オーバーフロー口２６から融水溜め部２４内に流れ込み、循環ポンプ２７によって放水管２８に供給された融水は、放水管２８の噴射ノズル２９から融雪槽本体１１内の雪に対して強力かつ高圧で噴射される。
【００２６】
上記のように放水管２０の噴射ノズル２１に加えて、放水管２８の噴射ノズル２９から循環式に水を噴射することにより、融雪能力を大幅に向上させ極めて効率的に融雪することができる。これにより融雪に要する時間を短縮し、結果的に労力の軽減を図ることができる等の利点がある。
【００２７】
なお、本発明の好適な実施形態を説明したが、本発明は上述した実施形態にのみ限定されるものではなく、必要に応じて適宜変更等が可能である。
たとえば、融雪槽本体１１等の具体的な大きさ寸法等は、設置現場に応じて適宜設定することができる。
【図面の簡単な説明】
【００２８】
【図１】本発明の実施形態における融雪槽の設置例を示す斜視図である。
【図２】本発明の実施形態における融雪槽の収納状態および使用状態をそれぞれ示す側断面図である。
【図３】本発明の実施形態における融雪槽の収納状態および使用状態をそれぞれ示す上面図である。
【図４】本発明の実施形態における融雪槽の設置作業を順に示す図である。
【図５】本発明の実施形態における融雪槽の変形例を示す斜視図である。
【符号の説明】
【００２９】
１  柵体
２  排水用目皿
１０  融雪槽
１１  融雪槽本体
１２  カバー
１３  止め具
１４  ヒンジ
１５  オーバーフロー排水口
１７  排水口
２０  放水管
２１  噴射ノズル
２２  汲上げポンプ
２４  融水溜め部
２６  オーバーフロー口
２７  循環ポンプ
２８  放水管
２９  噴射ノズル
１００  歩道
１０１  車道
【図１】
2005256303.tif 000003
【図２】
2005256303.tif 000004
【図３】
2005256303.tif 000005
【図４】
2005256303.tif 000006
【図５】
2005256303.tif 000007